(57)【特許請求の範囲】
【請求項１】
少なくともマイクロフォン接続用外部端子と薄型電池とメモリを含む音声合成ＬＳＩ実装モジュールとスピーカーとを電気配線にて接続して組み立てた平板型音声データ記録ユニットがカード基板に一体に取り付けられている録音・再生型音声カードであって、互いに対向する第１基材と第２基材とが開閉可能に開閉支点部にて軸支され且つその両基材の一端側が閉鎖方向に付勢され前記第１基材又は第２基材のいずれか一方の基材の対向内面側に設けた少なくともマイクロフォン外部端子と対向外面側に設けた少なくともマイクロフォンとを電気配線にて接続して組み立てた平板型マイクロフォンユニットを備えたマイクロフォン付きクリップ手段により、該録音・再生型音声カードの表裏面を挟み付けることにより、マイクロフォン接続用外部端子を、前記マイクロフォン付きクリップ手段のマイクロフォン外部端子に押圧接触させて接続可能にしたことを特徴とする録音・再生型音声カード。
【請求項２】
互いに対向する第１基材と第２基材とが開閉可能に開閉支点部にて軸支され且つその両基材の一端側が閉鎖方向に付勢されているクリップ手段であって、前記第１基材又は第２基材のいずれか一方の基材の対向内面側に設けた少なくともマイクロフォン外部端子と対向外面側に設けた少なくともマイクロフォンとを電気配線にて接続して組み立てた平板型マイクロフォンユニットを備え、少なくとも、マイクロフォン接続用外部端子と薄型電池とメモリを含む音声合成ＬＳＩ実装モジュールとスピーカーとを電気配線にて接続して組み立てた平板型音声データ記録ユニットがカード基板に一体に取り付けられている録音・再生型音声カードの表裏面を挟み付けることにより、前記マイクロフォン外部端子を、該録音・再生型音声カードのマイクロフォン接続用外部端子に押圧接触させて接続可能にしたことを特徴とするマイクロフォン付きクリップ手段。
【請求項３】
少なくともマイクロフォン接続用外部端子と薄型電池とメモリを含む音声合成ＬＳＩ実装モジュールとスピーカーとを電気配線にて接続して組み立てた平板型音声データ記録ユニットがカード基板に一体に取り付けられている録音・再生型音声カードと、互いに対向する第１基材と第２基材とが開閉可能に開閉支点部にて軸支され且つその両基材の一端側が閉鎖方向に付勢されているクリップ手段であって前記第１基材又は第２基材のいずれか一方の基材の対向内面側に設けた少なくともマイクロフォン外部端子と対向外面側に設けた少なくともマイクロフォンとを電気配線にて接続して組み立てた平板型マイクロフォンユニットを備えたマイクロフォン付きクリップ手段とにより構成され、該録音・再生型音
声カードの表裏面を、マイクロフォン付きクリップ手段にて挟み付けることにより、該録音・再生型音声カードのマイクロフォン接続用外部端子を、マイクロフォン付きクリップ手段のマイクロフォン外部端子に押圧接触させて接続可能にしたことを特徴とする録音・再生型音声カード。
【発明の詳細な説明】
【０００１】
【発明の属する技術分野】
本発明は、音声を記録したり再生できる録音・再生型音声カード及びそれに使用するマイクロフォン付きクリップ手段に関する。
【０００２】
【従来の技術】
従来の音声記録カードとしては、カードに内蔵する音声メモリに予め記録しておいたカードの記録情報に関する音声データを、所定の音声カード再生手段の音声データ読取部にて読み取り、読み取られた音声データを音声変換部にて音声出力用の電気信号に変換した後、所定のスピーカーにて、そのカードの記録情報を音声として再生出力するようにしたものがある。
【０００３】
このような従来の音声カードは、記録されている音声データを音声として再生出力するには、カード所有者が音声カードを専用の音声再生手段にて読み取り再生する必要があり、また、この音声カードにカード所有者本人などの音声を記録するには、カード所有者が音声カードを専用の音声データ記録手段にて録音する必要があった。
【０００４】
そのため、音声カード所有者は、所有者本人が携帯し得ない専用の音声再生手段や音声データ記録手段の設置されている特定の場所に出向いて、カードに記録されている音声を再生したり録音したりする必要があった。
【０００５】
また、音声カードを携帯する所有者本人が、音声カードにコメントやメッセージやメモすべき情報を、個人でいつでも手軽に自由に音声を記録するということはできなかった。
【０００６】
【発明が解決しようとする課題】
本発明は、音声カード所有者が、専用の音声再生手段や音声データ記録手段の設置されている特定の場所に出向いて、音声カードに記録されている音声を再生したり録音したりすることなく、音声カードを携帯する所有者本人が、コメントやメッセージやメモすべき情報を、いつでも手軽に自由に音声を記録できるようにすることにある。
【０００７】
【課題を解決するための手段】
本発明の第１の発明は、少なくともマイクロフォン接続用外部端子と薄型電池とメモリを含む音声合成ＬＳＩ実装モジュールとスピーカーとを電気配線にて接続して組み立てた平板型音声データ記録ユニットがカード基板に一体に取り付けられている録音・再生型音声カードであって、互いに対向する第１基材と第２基材とが開閉可能に開閉支点部にて軸支され且つその両基材の一端側が閉鎖方向に付勢され前記第１基材又は第２基材のいずれか一方の基材の対向内面側に設けた少なくともマイクロフォン外部端子と対向外面側に設けた少なくともマイクロフォンとを電気配線にて接続して組み立てた平板型マイクロフォンユニットを備えたマイクロフォン付きクリップ手段により、該録音・再生型音声カードの表裏面を挟み付けることにより、マイクロフォン接続用外部端子を前記マイクロフォン付きクリップ手段のマイクロフォン外部端子に押圧接触させて接続可能にしたことを特徴とする録音・再生型音声カードである。
【０００８】
次に、本発明の第２の発明は、互いに対向する第１基材と第２基材とが開閉可能に開閉支点部にて軸支され且つその両基材の一端側が閉鎖方向に付勢されているクリップ手段であって、前記第１基材又は第２基材のいずれか一方の基材の対向内面側に設けた少なくともマイクロフォン外部端子と対向外面側に設けた少なくともマイクロフォンとを電気配線にて接続して組み立てた平板型マイクロフォンユニットを備え、少なくとも、マイクロフォン接続用外部端子と薄型電池とメモリを含む音声合成ＬＳＩ実装モジュールとスピーカーとを電気配線にて接続して組み立てた平板型音声データ記録ユニットがカード基板に一体に取り付けられている録音・再生型音声カードの表裏面を挟み付けることにより、前記マイクロフォン外部端子を、該録音・再生型音声カードのマイクロフォン接続用外部端子に押圧接触させて接続可能にしたことを特徴とするマイクロフォン付きクリップ手段である。
【０００９】
本発明の第３の発明は、少なくともマイクロフォン接続用外部端子と薄型電池とメモリを含む音声合成ＬＳＩ実装モジュールとスピーカーとを電気配線にて接続して組み立てた平板型音声データ記録ユニットがカード基板に一体に取り付けられている録音・再生型音声カードと、互いに対向する第１基材と第２基材とが開閉可能に開閉支点部にて軸支され且つその両基材の一端側が閉鎖方向に付勢されているクリップ手段であって前記第１基材
又は第２基材のいずれか一方の基材の対向内面側に設けた少なくともマイクロフォン外部端子と対向外面側に設けた少なくともマイクロフォンとを電気配線にて接続して組み立てた平板型マイクロフォンユニットを備えたマイクロフォン付きクリップ手段とにより構成され、該録音・再生型音声カードの表裏面をマイクロフォン付きクリップ手段にて挟み付けることにより、該録音・再生型音声カードのマイクロフォン接続用外部端子を、マイクロフォン付きクリップ手段のマイクロフォン外部端子に押圧接触させて接続可能にしたことを特徴とする録音・再生型音声カードである。
【００１０】
【発明の実施の形態】
第１の発明の録音・再生型音声カードを、実施の形態にしたがって以下に詳細に説明する。
【００１１】
図１（ａ）は第１の発明の録音・再生型音声カードの表面側から見た記録ユニットの配線図であり、１はカード基材、１１はマイクロフォン接続用外部端子、１２はボタン型電池、コイン型電池など薄型電池、１３はメモリを含む音声合成ＬＳＩ実装モジュール、１４はピエゾスピーカーあるいは薄型ダイナミックスピーカーなどのスピーカー、１５は必要に応じて設けた起動スイッチであり、後述する回路図に示すような電気配線によってそれぞれ電気的に接続されている。
【００１２】
それぞれマイクロフォン接続用外部端子１１、薄型電池１２、メモリを含む音声合成ＬＳＩ実装モジュール１３、スピーカー１４、必要に応じて設けた起動スイッチ１５は、カード基材１に対して、そのカード基材１をくり抜いて形成された孔設部内に嵌合するように埋設されて搭載され、又はカード基材１の表面上又は／及び裏面上に取り付け固定されて搭載され、平板型の音声データ記録ユニット１０となって組み立てられている。
【００１３】
図１（ｂ）は録音・再生型音声カードを裏面から見た平面図であり、マイクロフォン接続用外部端子１１は図示するように裏面側（又は表面側）にパターン状に露呈していて、また起動スイッチ１５も図示するように裏面側（又は表面側）に露呈していて、起動スイッチ１５はカード裏面（又はカード表面）より押圧することにより音声データ記録ユニット１０をＯＮ、ＯＦＦ動作できるようになっている。
【００１４】
また、カード基材１に搭載した前記マイクロフォン接続用外部端子１１、薄型電池１２、メモリを含む音声合成ＬＳＩ実装モジュール１３、スピーカー１４、必要に応じて設けた起動スイッチ１５及び回路パターンは、そのカード基材１の裏面上に、合成樹脂製若しくは金属製の裏面シール用シート３を被覆することにより隠蔽されている。
なお、起動スイッチ１５の構造は、本発明においては特に限定されず、例えばメンブレイン（膜状）式スイッチ、押圧式スイッチ、押しボタン式スイッチ、レバー切換式スイッチなどいずれの構造でもよい。
【００１５】
図１（ｃ）は録音・再生型音声カードを表面から見た平面図であり、カード基材１に搭載した前記マイクロフォン接続用外部端子１１、薄型電池１２、メモリを含む音声合成ＬＳＩ実装モジュール１３、スピーカー１４、必要に応じて設けた起動スイッチ１５及び回路パターンは、そのカード基材１の表面上に、合成樹脂製若しくは金属製の表面シール用シート２を被覆することにより隠蔽されている。
【００１６】
図１（ｄ）は録音・再生型音声カードの側断面図であり、図１（ａ）に示したカード基材１及び該カード基材１に搭載した前記マイクロフォン接続用外部端子１１、薄型電池１２、メモリを含む音声合成ＬＳＩ実装モジュール１３、スピーカー１４、必要に応じて設けた起動スイッチ１５及び回路パターンの裏面側に、合成樹脂製若しくは金属製の裏面シール用シート３がカード基材１に対して貼り合わされ被覆シールされている。なお、裏面シール用シート３を被覆シールする場合には、図１（ｂ）の裏面から見た平面図に示すように、裏面シール用シート３の一部にパターン状に切欠部３ａを設けて、裏面側に露呈すべき部品が被覆されないようにされている。
【００１７】
また、同図１（ｄ）に図示するように、必要に応じて表面側には、合成樹脂製若しくは金属製の表面シール用シート２がカード基材１に対して貼り合わされ被覆シールされている。
【００１８】
次に、上記の第１の発明の録音・再生型音声カードに使用される第２の発明のマイクロフォン付きクリップ手段を、実施の形態にしたがって以下に詳細に説明する。
【００１９】
図２（ａ）は第２の発明のマイクロフォン付きクリップ手段の表面側から見た平面図、図２（ｂ）はその側面図であり、２１は第１基材、２２は第２基材、２３は基材の中間に設けた開閉支点部である。
【００２０】
互いに対向する該第１基材２１と第２基材２２とは、開閉可能に開閉支点部２３にて軸支されていて、その両基材２１、２２の一端側が閉鎖方向に付勢されていて全体にクリップ手段２８を構成している。
【００２１】
両基材２１、２２の一端側を閉鎖方向に付勢する付勢手段は、本発明においては特に限定されるものではなく、例えば、開閉支点部２３における支軸２３ａを装通する第１基材２１側の支点ブラケット２１ａと第２基材２２側の支点ブラケット２２ａとにそれぞれ巻回係合するコイルバネであってもよいし、あるいは両基材２１、２２の他端側を離反方向に付勢する板状バネ若しくは螺旋状バネなどであってもよい。
【００２２】
図２（ａ）〜（ｂ）図中、２５は前記第１基材２１又は第２基材２２のいずれか一方の基材の対向内面側に設けたマイクロフォン外部端子、２６はその対向外面側に設けたマイクロフォン、２７は前記マイクロフォン外部端子２５を設けた基材側の対向外面若しくは内面に必要に応じて設けたマイクロフォンスイッチであり、後述する回路図に示すような電気配線によってそれぞれ電気的に接続されて平板型のマイクロフォンユニット２９となって組み立てられている。なお、マイクロフォンスイッチ２７はクリップ手段２７をバネ力にて閉鎖した際に、その閉鎖押圧力によりＯＮ動作するように構成されていてもよい。
【００２３】
図（ｃ）は上記第２の発明のマイクロフォン付きクリップ手段の正面図、図２（ｄ）は上記第２の発明のマイクロフォン付きクリップ手段の裏面から見た平面図であり、例えばマイクロフォン２６は１乃至複数の音孔を介して外面側に露呈した構造であり、マイクロフォンスイッチ２７も外面側に露呈した構造となっている。なお、マイクロフォンスイッチ２７の構造は、本発明においては特に限定されず、例えばメンブレイン（膜状）式スイッチ、押圧式スイッチ、押しボタン式スイッチ、レバー切換式スイッチなどいずれの構造でもよい。
【００２４】
次に第３の発明の録音・再生型音声カードを、実施の形態にしたがって以下に詳細に説明する。
【００２５】
第３の発明の録音・再生型音声カードは、第１の発明である録音・再生型音声カードＡ（図１（ａ）〜図１（ｄ）参照）と、第２の発明であるマイクロフォン付きクリップ手段Ｂとの組み合わせにより構成される。
【００２６】
図３は第３の発明の録音・再生型音声カードを表面から見た平面図であり、マイクロフォン付きクリップ手段Ｂの第１基材２１と第２基材２２との対向押圧端部と反対側の開放用端部を指で摘んで閉鎖することにより開放したマイクロフォン付きクリップ手段Ｂの対向押圧端部に、録音・再生型音声カードＡのマイクロフォン接続用外部端子１１の形成された部分を挿入する。
【００２７】
そして、該カードＡをマイクロフォン付きクリップ手段Ｂの対向押圧端部により挟み付けることにより、該カードＡのマイクロフォン接続用外部端子１１（例えば６個の端子により構成される）と、該クリップ手段Ｂの互いに対向する第１基材２１と第２基材２２のいずれか一方の基材の対向内面に形成されたマイクロフォンが外部端子２５（例えば６個の端子により構成される）とを押圧接触させることにより電気的に接続して使用するものである。そして不使用時にはクリップ手段ＢはカードＡから取り外しておくことができる。
【００２８】
なお、マイクロフォン付きクリップ手段Ｂの第１基材２１と第２基材２２の両方又はいずれか一方の基材の対向押圧端部と反対側の開放用端部には、図３に示すように四角形状、円形状など適宜な形状の装飾が施された装飾板や表示板など開放用掴み部Ｃを設けることは可能である。
【００２９】
図４は上記第１の発明の録音・再生型音声カードＡと、上記第２の発明のマイクロフォン付きクリップ手段Ｂの電気回路図の一例である。
【００３０】
まず、第１の発明の録音・再生型音声カードＡの電気回路について以下に説明すれば、録音・再生型音声カードＡに搭載した音声合成ＬＳＩ実装モジュール１３は、駆動電力供給用のＶCCD 端子とＶSSD 端子、マイクロフォン２６を駆動させる電力供給用のＶCCA 端子とＶSSA 端子、スピーカー１４を接続するＳP 端子、マイクロフォン２６による音声信号を入力するための音声入力用のＭＩＣ端子とＭＩＣＲＥＦ端子、マイクロフォンの音声信号増幅率を安定化するためのＡＧＣ端子を備える。
【００３１】
また、前記音声合成ＬＳＩ実装モジュール１３は、音声の再生動作を始動させる指示信号入力用のＰＬＡＹ端子、音声の記録動作（録音）を始動させる指示信号入力用のＲＥＣ端子、クロック信号を発生させ且つサンプリング周波数を決定させる抵抗制御発振器（ＲＯＳＣ；リンクオシレータ）の端子、ＴＥＳＴ端子、クロック信号出力用のＸＣＬＫ端子を備えている。
【００３２】
録音・再生型音声カードＡに搭載した薄型電池１２の正電極は、音声合成ＬＳＩ実装モジュール１３の駆動電力供給用のＶCCD 端子、再生スタートスイッチ１５を介して再生始動用のＰＬＡＹ端子にそれぞれ接続されている。
【００３３】
前記薄型電池１２の負電極は、駆動電力供給用のＶSSD 端子、クロック信号形成用のＸＣＬＫ端子、ＴＥＳＴ端子、抵抗Ｒ1 を介して発振器（ＲＯＳＣ）端子にそれぞれ接続されている。なお、駆動電力供給用のＶCCD 端子とＶSSD 端子との間にはコンデンサーＣ1 が接続されて、ＶCCD 端子とＶSSD 端子との間は薄型電池１２の直流電流が遮断されるようになっている。
【００３４】
録音・再生型音声カードＡは６個のマイクロフォン接続外部端子１１を備え、音声記録（録音）起動用のＲＥＣ端子は、６個のマイクロフォン接続外部端子１１のうちの第１の外部端子であるＲＥＣ外部端子１１REC を構成しており、ＲＥＣ端子と薄型電池１２の負電極との間にはコンデンサＣ2 が接続されている。
【００３５】
音声合成ＬＳＩ実装モジュール１３のＶCCA 端子とＶSSA 端子は、マイクロフォン付きクリップ手段Ｂのマイクロフォン２６により音声信号を形成するためのマイクロフォン駆動用電力供給端子であり、６個のマイクロフォン接続外部端子１１のうちの第２、第３の外部端子であるそれぞれ電力供給外部端子１１CCA 、１１SSA を構成する。
【００３６】
ＭＩＣＲＥＦ端子とＭＩＣ端子は、マイクロフォン付きクリップ手段Ｂのマイクロフォン２６からの音声信号をカードＡ側に入力するためのマイクロフォン音声信号入力端子であり、６個のマイクロフォン接続外部端子１１のうちの第４、第５の外部端子であるそれぞれマイクロフォン接続外部端子１１MIC 、１１MICRを構成する。
【００３７】
また、ＡＧＣ端子は、マイクロフォン２６により形成される音声信号の増幅率を安定化するためのマイクロフォン音声信号用の増幅安定用端子であり、６個のマイクロフォン接続外部端子１１のうちの第６の外部端子であるマイクロフォン音声増幅安定化端子１１AGC を構成する。
【００３８】
次に、第２の発明のマイクロフォン付きクリップ手段Ｂの電気回路について、図４に基づいて以下に説明すれば、マイクロフォン付きクリップ手段Ｂに搭載したマイクロフォン２６は、その両端電極のいずれか一方の電極には抵抗Ｒ2 とコンデンサーＣ3 が直列に接続され、他方の電極には抵抗Ｒ3 と抵抗Ｒ4 が接続され、前記コンデンサーＣ3 の一方の電極は前記抵抗Ｒ3 と抵抗Ｒ4 との間に接続されている。
【００３９】
マイクロフォン付きクリップ手段Ｂは、前記録音・再生型音声カードＡの外部端子に整合して対応する６個のマイクロフォン外部端子２５を備え、前記抵抗Ｒ4 の一方の電極には、マイクロフォン起動スイッチ２７を介して６個のマイクロフォン外部端子２５のうちの音声記録始動用端子である第１のマイクロフォン外部端子２５REC と、マイクロフォン駆動電力供給用端子である第２のマイクロフォン外部端子２５CCA とが接続されている。
【００４０】
この第１のマイクロフォン外部端子２５REC は、カードＡ側の第１外部端子１１REC に対して押圧接触して接続され、第２のマイクロフォン外部端子２５CCA は、カードＡ側の第２外部端子１１CCA に対して押圧接触して接続される。
【００４１】
マイクロフォン付きクリップ手段Ｂの６個のマイクロフォン外部端子２５のうちの第３のマイクロフォン外部端子２５SSA は第６のマイクロフォン外部端子２５AGC と接続しており、第３、第６のマイクロフォン外部端子２５SSA 、２５AGC 間には、コンデンサーＣ4 と抵抗Ｒ5 が互いに並列に接続されており、第３のマイクロフォン外部端子２５SSA は、カード側の第３外部端子１１SSA に対して押圧接触して接続され、第６のマイクロフォン外部端子２５SSA は、カード側の第６外部端子１１AGC に対して押圧接触して接続される。
【００４２】
マイクロフォン付きクリップ手段Ｂに搭載したマイクロフォン２６の両端電極には、それぞれコンデンサーＣ5 、Ｃ6 が直列に接続され、各々コンデンサーＣ5 、Ｃ6 の一方の電極に６個のマイクロフォン外部端子２５のうちのマイクロフォン音声信号出力用端子である第４のマイクロフォン外部端子２５MICRと第５のマイクロフォン外部端子２５MIC が接続されている。
【００４３】
【発明の効果】
本発明の録音・再生型音声カードは、平坦なカード基材にマイクロフォン接続用外部端子とコイン型電池などの薄型電池とメモリを含む音声合成ＬＳＩ実装モジュールとスピーカーとを電気配線にて接続して組み立てた平板型音声データ記録ユニットが一体に取り付けられているものであり、特にマイクロフォン接続用外部端子を搭載してあるので、予めメモリに記録されているカード記録内容に関するデータを音声として再生することができるだけでなく、マイクロフォン外部端子を、このカードのマイクロフォン接続用外部端子に接続することによって、音声カード所有者が、専用の音声再生手段や音声データ記録手段の設置されている特定の場所に出向いて音声を録音したりすることなく、所有者本人がコメントやメッセージやメモすべき情報を、いつでも手軽に自由に音声として記録することができる効果がある。
【００４４】
また、本発明のマイクロフォン付きクリップ手段は、録音・再生型音声カードをクリップ手段にて挟み付けることにより、カードのマイクロフォン接続用外部端子に対してマイクロフォン外部端子を押圧接触させることにより手軽に電気的に接続固定することができ、また、カードに対するマイクロフォンの取り付け取り外しが容易であるなどの効果がある。
【図面の簡単な説明】
【図１】（ａ）は第１の発明の録音・再生型音声カードの記録ユニットの配置図、（ｂ）はその録音・再生型音声カードを裏面から見た平面図、（ｃ）はその録音・再生型音声カードを表面から見た平面図、（ｄ）はその録音・再生型音声カードの側断面図。
【図２】（ａ）は第２の発明のマイクロフォン付きクリップ手段を表面から見た平面図、（ｂ）はそのマイクロフォン付きクリップ手段の側面図、（ｃ）はそのマイクロフォン付きクリップ手段の正面図、（ｄ）はそのマイクロフォン付きクリップ手段を裏面から見た平面図。
【図３】第３の発明の録音・再生型音声カードとマイクロフォン付きクリップ手段との組み合わせによる録音・再生型音声カードを表面から見た平面図。
【図４】本発明の録音・再生型音声カードとマイクロフォン付きクリップ手段の電気回路の一例を示す回路図。
【符号の説明】
Ａ…録音・再生型音声カード  Ｂ…マイクロフォン付きクリップ手段
Ｃ…開放用掴み部
１…カード基板  ２…表面シール用シート  ３…裏面シール用シート
１０…平板型音声データ記録ユニット  １１…マイクロフォン接続外部端子
１２…薄型電池  １３…音声合成ＬＳＩ実装モジュール  １４…スピーカー
１５…音声再生起動用スイッチ
２１…第１基材  ２２…第２基材  ２３…開閉支点部  ２４…搭載用基板
２５…マイクロフォン外部端子  ２６…マイクロフォン
２７…マイクロフォン始動用スイッチ  ２８…クリップ手段
２９…平板型マイクロフォンユニット
【図１】
0003673090.tif 000002
【図２】
0003673090.tif 000003
【図３】
0003673090.tif 000004
【図４】
0003673090.tif 000005